(57)【要約】【課題】構成部品の着脱や複雑な動きを必要とすることなく簡単な操作で形態の変化をさせることができ、年少者にも形態の変化を楽しむことができる形態変化玩具を提供すること。【解決手段】一つの形態から他の形態に可逆的に形態を変化させることができる形態変化玩具において、上記形態変化玩具は何れの形態においても１対の腕部１、１と１対の脚部２、２とを備えた形態で、左右の肩部６、６が胴体部３から左右に張り出し可能に設けられ、腰部１０は左右に分割して拡幅可能に形成し、上記肩部６と腰部１０とを上記胴体部３に対し、腰部１０を狭めたときには肩部６、６が離れて肩幅が広がり、肩部６、６を胴体部３に接近させて肩幅を狭めたときには腰部１０が左右に広がるように連動させた。【選択図】図１
2005052452.tif 000002
【特許請求の範囲】
【請求項１】
一つの形態から他の形態に可逆的に形態を変化させることができる、以下の要件を備えることを特徴とする形態変化玩具。
（イ）上記形態変化玩具は何れの形態においても１対の腕部と１対の脚部とを備えた形態で、左右の肩部が胴体部から左右に張り出し可能に設けられ、腰部は左右に分割され左右に拡幅可能に形成されていること
（ロ）上記肩部と腰部とは上記胴体部に対し、腰部を狭めたときには肩幅がに広がり、肩幅を狭めたときには腰部が左右に広がるように連動していること
【請求項２】
以下の要件を備えることを特徴とする、請求項１記載の形態変化玩具。
（イ）前記腰部と肩部とは左の腰部は左の肩部に、右の腰部は右の肩部にそれぞれ外側に曲折したくの字状の連結部材で連結され、２つの連結部材は曲折部で回動可能に軸支されていること
（ロ）上記腰部は上記連結部材の下端に、上記肩部は上記連結部材の上端にそれぞれ回動可能に軸支されていること
（ハ）上記胴体部には水平方向にガイド溝が形成され、上記連結部材の上端は上記ガイド溝に摺動可能にガイドされていること
【請求項３】
以下の要件を備えることを特徴とする、請求項１又は２記載の形態変化玩具。
（イ）前記胴体部の上部には頭部部材が設けられ、該頭部部材はカバー部材で覆われていること
（ロ）上記カバー部材は前記連結部材の上端に回動可能に軸支されたリンク部材に連結され、腰部と肩部の動きに連動して上記カバー部材が上下に回動すること
（ハ）上記カバー部材は一つの形態における玩具体の頭部を構成し、上記頭部部材は他の形態における玩具体の頭部を構成すること
【発明の詳細な説明】
【技術分野】
【０００１】
本発明は、形態変化玩具、詳しくは一つの形態から他の形態に可逆的に形態を変化させる形態変化玩具であって腰部が狭くなると肩幅が広くなり、肩幅が狭くなると腰部が広くなって形態が変化する形態変化玩具に関するものである。
【背景技術】
【０００２】
従来、一つの形態から他の形態に可逆的に形態が変化する様々な形態変化玩具が提案され実用に供されている（例えば、特許文献１）。
【０００３】
この形態変化玩具は、単に形態が変化するだけではなく遊びの幅を広げることができるように、玩具本体を構成する各部材を組みかえることによりオートバイの形態からジェット機の形態に形態を変化させるだけではなく、ジェット機の形態において機首部と胴体部とが分離できるようにし、分離した機首部はさらに鳥の形態に、胴体部はロボットの形態に変化させることができるようにしたものである。
【特許文献１】実開平０５−０００１９５号公報
【発明の開示】
【発明が解決しようとする課題】
【０００４】
本発明が解決しようとする問題点は、上述の形態変化玩具のように形態変化の遊びを広げることができるようにすることができる代償として、その玩具を構成する部品の数が増え、その取り扱いも複雑になり年少者には馴染めないものになってしまう問題があった。
【０００５】
本発明は、上記問題点を解決し、構成部品の着脱や複雑な動きを必要とすることなく簡単な操作で形態の変化をさせることができ、年少者にも形態の変化を楽しむことができる形態変化玩具を提供することをその課題とする。
【課題を解決するための手段】
【０００６】
前記課題を解決するために本発明に係る形態変化玩具は、一つの形態から他の形態に可逆的に形態を変化させることができる、以下の要件を備えることを特徴とする。
（イ）上記形態変化玩具は何れの形態においても１対の腕部と１対の脚部とを備えた形態で、左右の肩部が胴体部から左右に張り出し可能に設けられ、腰部は左右に分割され左右に拡幅可能に形成されていること
（ロ）上記肩部と腰部とは上記胴体部に対し、腰部を狭めたときには肩幅が広がり、肩幅を狭めたときには腰部が左右に広がるように連動していること
【０００７】
なお、前記形態変化玩具は以下の要件を備えることが好ましい。
（イ）前記腰部と肩部とは左の腰部は左の肩部に、右の腰部は右の肩部にそれぞれ外側に曲折したくの字状の連結部材で連結され、２つの連結部材は曲折部で回動可能に軸支されていること
（ロ）上記腰部は上記連結部材の下端に、上記肩部は上記連結部材の上端にそれぞれ回動可能に軸支されていること
（ハ）上記胴体部には水平方向にガイド溝が形成され、上記連結部材の上端は上記ガイド溝に摺動可能にガイドされていること
【０００８】
また、前記形態変化玩具は以下の要件を備えるようにしてもよい。
（イ）前記胴体部の上部には頭部部材が設けられ、該頭部部材はカバー部材で覆われていること
（ロ）上記カバー部材は前記連結部材の上端に回動可能に軸支されたリンク部材に連結され、腰部と肩部の動きに連動して上記カバー部材が上下に回動すること
（ハ）上記カバー部材は一つの形態における玩具体の頭部を構成し、上記頭部部材は他の形態における玩具体の頭部を構成すること
【発明の効果】
【０００９】
請求項１の発明によれば、腰部が左右に分割され胴体部に対し、左右の腰部を接近させると左右の肩は胴体部から離れ、左右の肩部を胴体部に接近させれば左右の腰部が離反し、腰部と肩部との離反接近が相反するように連動しているので、１つの部材の動きが他の部材の動きを誘導し、簡単な操作で形態を自由に変化させることができる。
【００１０】
請求項２の発明によれば、左右の肩部と左右の腰部とはそれぞれ外側にくの字状に曲折した連結部材でそれぞれ連結され、連結部材同士が回動可能に連結されるとともに連結部材の上端が胴体部に形成されたガイド溝に摺動可能にガイドされているので肩部と腰部とを左右方向に接近離反させることができ、自然な形態の変化をさせることができる。
【００１１】
請求項３の発明によれば、腰部と肩部に動きに連動して一つの形態において頭部を構成するカバー部材が上下に回動することにより、他の形態における頭部が出没するので簡単な操作で玩具体の形態をより効果的に変化させることができる。
【発明を実施するための最良の形態】
【００１２】
本発明に係る形態変化玩具は、一つの形態から他の形態に可逆的に形態を変化させることができる形態変化玩具であって、胴体部に対し肩部と左右に分割された腰部とが左右方向に接近、離反するように設けられ、上記肩部と腰部とは上記胴体部に対し、腰部が離反したときは肩部が接近し、肩部が離反したときは腰部が接近するように連動するようにし、１つの部材の動きが他の部材の動きを誘導し、簡単な操作で形態を自由に変化させることができる。
【実施例１】
【００１３】
図１は本発明に係る形態変化玩具の一例を示し、この形態変化玩具は一つの形態から他の形態に可逆的に形態が変化するようになっており、何れの形態においても１対の腕部１、１と１対の脚部２、２とを備えた形態を成すように構成されているもので、本実施例では一つの形態が恐竜の形態を成し（図１（ａ）参照）、他の形態がロボットの形態を成すように形成されているものである（図１（ｂ）参照）。
【００１４】
この形態変化玩具は胴体部３の上部にロボットの頭部４が取り付けられ、この頭部４は恐竜の頭部を模して形成されたカバー部材５で覆われている。
【００１５】
胴体部３の上部両側には肩部６、６が配置され、胴体部３の下部には腰部７が配置されている。肩部６は、図２（ａ）に示すように、第１の肩部材６ａと第２の肩部材６ｂとから構成され、第１の肩部材６ａは第２の肩部材６ｂの上部に回動可能に取り付けられ、第２の肩部材６ｂの下部には連結部材７の上端に連結軸８で回動可能に連結されている。そして第１の肩部材６ａには腕部１が取り付けられ、この腕部１は肘部と手首とに設けた関節１ａ、１ｂで折り曲げることができるようになっている。
【００１６】
腰部材１０は、図２（ａ）に示すように、左腰部材１０ａと右腰部部材１０ｂとの２つの腰部材に分割され、各腰部材１０ａ、１０ｂは上記連結部材７の下端に連結軸１１で回動可能に連結されている。そして、この腰部材１０ａ、１０ｂには脚部２、２が取り付けられ、この脚部２は膝部と足首とに設けた関節２ａ、２ｂで折り曲げることができるようになっている。
【００１７】
上記連結部材７は互いに外側に向かってくの字状に曲折したリンクで構成され、２つの連結部材７、７は曲折部が連結軸１２で回動可能に連結され、下端を狭めたときには上端が広がり、上端を狭めたときには下端が広がるようになっている。
【００１８】
連結部材７の上部の前面側には後述する胴体部３に形成されたガイド溝２０に摺動可能にガイドされるガイドピン１５が嵌め込まれるとともに、リンク部材１６、１６の下端が連結軸８で回動可能に軸支され、このリンク部材１６、１６の上部同士は連結軸１７で回動可能に連結されるとともにカバー部材５を支持する支持板１８が連結されている。
【００１９】
カバー部材５は怪獣の頭部を模して形成され、上記支持板１８の上端に連結軸１９で上下に回動可能に連結され、図示しないスプリングで常に下方に回動するように付勢されている。
【００２０】
胴体部３は前部材３ａと上部材３ｂとで側面視で逆Ｌ字状に形成され、前部材３ａの下部には左右方向にガイド溝２０が形成され、上部材３ｂの上面にはロボットの頭部４が取り付けられている。上記ガイド溝２０には上記連結部材７の上部に形成されたガイドピン１５が摺動可能にガイドされ、連結部材７、７の上端を広げたときには、図２（ｂ）に示すように、リンク部材１６、１６が八の字状に広がって連結軸１７が下降するのでカバー部材５を支持する支持板１８が下降し、連結部材７、７の上端が狭まったときにはリンク部材１６、１６が狭まって連結軸１７が上昇するのでカバー部材５を支持する支持板１８を上昇させることができるようになっている。
【００２１】
支持板１８が上昇したときにはカバー部材５は上部材３ｂの上面に載った状態になるので、図３（ａ）に示すように、カバー部材５は頭部４を上から覆い被さるような状態になり、前面から見たときには恐竜の顔が見えるようになり、支持板１８が下降したときには、図３（ｂ）に示すように、カバー部材５の底面５ａが胴体部３の上部材３ｂの角部３ｃで下降が阻止され、スプリングに抗して連結軸１９を中心に上方に回動するので頭部４が現われるようになっている。
【００２２】
上記構成の形態変化玩具は、図２（ａ）に示すように、左右の第１の肩部材６ａ、６ａを両側から内方に向かって押圧すると第２の肩部材６ｂに連結された連結部材７のガイドピン１５が胴体部３のガイド溝２０にガイドされて接近するとともに第２の肩部材６ｂが胴体部３内に没入し、連結部材７の下部が広がるので、連結軸１１でガイド部材に連結された左右の腰部材１０ａ、１０ｂが離れる。併せて、リンク部材１６、１６が接近し連結軸１７が上昇するので、図３（ａ）に示すように、支持部材１８も上昇するのでカバー部材５は図示しないスプリングに付勢されて下方に回動し、頭部４に覆い被さるようになる。この状態では、図１（ａ）に示すように、肩幅が狭くなり腰部が広がって左右の脚部が２、２が胴体部３の両側部から下方に延びるような蟹股状態になるとともに恐竜の顔が前面から視認できるようになり、恐竜の形態をなすことができるようになる。
【００２３】
一方、恐竜の形態において、図２（ｂ）に示すように、左右の腰部材１０ａ、１０ｂを両側から内方に向かって押圧すると連結部材７、７は連結軸１２を中心に上部が開くように回動し、連結部材７のガイドピン１５が胴体部３のガイド溝２０にガイドされて離れるので、第２の肩部材６ｂも外方に向かって移動し、胴体部３内から露出しする。併せて、リンク部材１６、１６が広がり連結軸１７が下降するので、図３（ｂ）に示すように、支持部材１８も下降し、カバー部材５は図示しないスプリングに付勢されて上方に回動し、頭部４が露出されるようになる。この状態では、図１（ｂ）に示すように、肩幅が広くなり腰部の幅が狭くなって小さな腰になるとともにロボットの頭部が前面から視認できるようになり、上半身が逆三角形状になるとともに左右の脚部が２、２が胴体部３の下から下方に延びるような状態になりロボットの形態をなすことができるようになる。
【００２４】
上述したように、肩部を狭めれば腰部が広がり、腰部を狭めれば肩幅が広がり、さらに方部と腰部の動きに連動して頭部の状態が変わるので、肩部又は腰部を両側から押圧する簡単な操作で一つの形態（恐竜）から、他の形態（ロボット）に可逆的に形態を変化させることができ、玩具体を構成する部品の着脱や向きを変えたりする複雑な操作を必要とせず形態を変化させることができ、年少者にも楽しむことができる形態変化玩具を提供することができる。
【図面の簡単な説明】
【００２５】
【図１】（ａ）（ｂ）は本発明に係る形態変化玩具の一つの形態と他の形態とを説明する斜視図
【図２】（ａ）（ｂ）は形態の変化を説明する正面側説明図
【図３】（ａ）（ｂ）は形態の変化を説明する側面側説明図
【符号の説明】
【００２６】
１    腕部
２    脚部
３    胴体部
４    頭部部材
５    カバー部材
６    肩部
７    連結部材
１０    腰部
１６    リンク部材
２０  ガイド溝
【図１】
2005052452.tif 000003
【図２】
2005052452.tif 000004
【図３】
2005052452.tif 000005